(57)【要約】【課題】  従来における硬質ゴムの弾性力を利用したスツールにあっては、施術時における頻繁に姿勢を変えて揺動させた場合には、耐久性に問題があり、また、施術形態に合った仕様でないため施術姿勢を維持し難く、かつ、施術者の体重差によって着座した初期状態において座部の高さが変化するといった問題があった。【解決手段】  座部２が取付けられている支柱４と、該支柱が嵌合固定された第１の揺動リンク５と、該第１の揺動リンクに固定された基板６と、台座３側の基台７に対して回転可能に軸支され、かつ、前記第１の揺動リンクを直交する方向において回転自在に軸支した第２の揺動リンク８と、前記基板と前記基台との間に張設されたスプリング等の弾性部材９とから構成した座部が揺動可能なスツールである。【選択図】        図２
2007268118.tif 000002
【特許請求の範囲】
【請求項１】
座部が取付けられている支柱と、該支柱が嵌合固定された第１の揺動リンクと、該第１の揺動リンクに固定された基板と、台座側の基台に対して回転可能に軸支され、かつ、前記第１の揺動リンクを直交する方向において回転自在に軸支した第２の揺動リンクと、前記基板と前記基台との間に張設されたスプリング等の弾性部材とから構成したことを特徴とする座部が揺動可能なスツール。
【請求項２】
台座の裏面側に位置する基台に対して回転自在に軸支された第２の揺動リンクと、該第２の揺動リンクの内側において第２の揺動リンクとは直交する方向において回転自在に軸支された第１の揺動リンクと、前記基台の下方位置において前記第１の揺動リンクに固定された基板と、該基板と前記基台との間に張設されたスプリング等の弾性部材とから構成したことを特徴とする座部が揺動可能なスツール。
【請求項３】
台座の上面側に位置する基台に対して回転自在に軸支された第２の揺動リンクと、該第２の揺動リンクの内側において第２の揺動リンクとは直交する方向において回転自在に軸支された第１の揺動リンクと、前記基台の上方位置において前記第１の揺動リンクに固定された基板と、該基板と前記基台との間に張設されたスプリング等の弾性部材とから構成したことを特徴とする座部が揺動可能なスツール。
【請求項４】
前記支柱はパイプ状に形成されると共に内部にガスシリンダが固定され、該ガスシリンダのラムに前記座部が取付けられていることを特徴とする請求項１乃至３の何れかに記載の座部が揺動可能なスツール。
【発明の詳細な説明】
【技術分野】
【０００１】
本発明は、例えば、理美容院においてシャンプー、トリートメント、リラクゼーション等の施術時に、施術者が着座した状態において座部があらゆる方向に揺動するようにした座部が揺動可能なスツールに関する。
【背景技術】
【０００２】
一般的な椅子（例えば、事務用椅子）において座部が前後動するものにあっては、座部の裏面にバネやリンク等によって傾動させるものである。その構造としては、座部の支柱に対して座部を前後方向に回動自在に軸支し、かつ、スプリングのバネ力によって傾動状態の座部を水平状態に戻すというものであった。
【０００３】
また、理美容院において施術時等に使用するスツールとしては、例えば、特表平１０−５１３３７３に開示されている発明がある。この発明の技術は、座部の支持柱の下部に硬質ゴムを配置し、この硬質ゴムの弾性力によって傾斜した支持柱を起立位置に戻すというものであった。
【特許文献１】特表平１０−５１３３７３
【発明の開示】
【発明が解決しようとする課題】
【０００４】
ところで、前記した事務用椅子の場合には、座部が前後方向に傾動するのみであることから、理美容院等の施術時に使用するあらゆる方向に揺動させて施術を行うための椅子としては不向きであった。
【０００５】
一方、前記したスツールにあっては、あらゆる方向に傾動できるという点で理美容院等で使用するスツールとしては好適であるが、硬質ゴムの弾性力を利用しているために、施術時における頻繁に姿勢を変えて揺動させた場合には、耐久性に問題があり、また、施術形態に合った仕様でないため施術姿勢を維持し難く、かつ、施術者の体重差によって着座した初期状態において座部の高さが変化するといった問題があった。
【０００６】
本発明は前記した問題点を解決せんとするもので、その目的とするところは、施術者の体重差による座部を支持する支柱の傾き差を小さくできると共に、長年の仕様にも初期状態を保持できて耐久性が高く、また、施術者の体重差による座部の初期高低差が小さくできる座部が揺動可能なスツールを提供せんとするにある。
【課題を解決するための手段】
【０００７】
本発明の座部が揺動可能なスツールは前記した目的を達成せんとするもので、請求項１の手段は、座部が取付けられている支柱と、該支柱が嵌合固定された第１の揺動リンクと、該第１の揺動リンクに固定された基板と、台座側の基台に対して回転可能に軸支され、かつ、前記第１の揺動リンクを直交する方向において回転自在に軸支した第２の揺動リンクと、前記基板と前記基台との間に張設されたスプリング等の弾性部材とから構成したものである。
【０００８】
請求項２の手段は、台座の裏面側に位置する基台に対して回転自在に軸支された第２の揺動リンクと、該第２の揺動リンクの内側において第２の揺動リンクとは直交する方向において回転自在に軸支された第１の揺動リンクと、前記基台の下方位置において前記第１の揺動リンクに固定された基板と、該基板と前記基台との間に張設されたスプリング等の弾性部材とから構成したものである。
【０００９】
請求項３の手段は、台座の上面側に位置する基台に対して回転自在に軸支された第２の揺動リンクと、該第２の揺動リンクの内側において第２の揺動リンクとは直交する方向において回転自在に軸支された第１の揺動リンクと、前記基台の上方位置において前記第１の揺動リンクに固定された基板と、該基板と前記基台との間に張設されたスプリング等の弾性部材とから構成したものである。
【００１０】
請求項４の手段は、前記した請求項１乃至３の何れかにおいて、前記支柱がパイプ状に形成されると共に内部にガスシリンダが固定され、該ガスシリンダのラムに前記座部が取付けられていることを特徴とする。
【発明の効果】
【００１１】
本発明は前記したように、座部の支柱を第１と第２の揺動リンクで支持した状態でスツールの台座である基台部分に接続した構造としたことにより、スプリング等の弾性部材に対して着座した人の体重が直接加わらないので、弾性部材の反発力を低く抑えてことができ、また、揺動動作自体をスムーズにすることが可能となる。
【００１２】
さらに、第１と第２の揺動リンクを支柱の回りに配置することで、高さ方向の自由度を大きくすることができ、特に、ガスシリンダを使用することを前提とするスツールにあっては、初高を低くして座部への乗り降りが楽に行える。また、弾性部材が破損したとしても支柱が第１、第２の揺動リンクで支持されているので、支柱が基台から外れることによる不都合を防止できる。
【００１３】
さらに、ガスシリンダを備えることにより、施術者の身長に合わせて施術のし易い高さを設定でき、かつ、支柱の長さ応じて揺動時の傾斜角が変化するので、身長の高い施術者は低い施術者よりも支柱が高い位置にあるので傾斜角が大きくなって施術が行い易くなるといった効果を有するものである。
【発明を実施するための最良の形態】
【００１４】
本発明は、座部が取付けられている支柱を第１の揺動リンクを介して台座側の１つの部材に取付け、該第１の揺動リンクを第２の揺動リンクに対して回動自在に軸支し、該第２の揺動リンクを台座側の他の部材に対して回動自在に軸支し、前記第１の揺動リンクを取付けた１つの部材と第２の揺動リンクを軸支した他の部材との間にスプリング等の弾性部材を介在したものである。
【実施例１】
【００１５】
以下、本発明に係る座部が揺動可能なスツールの第１の実施例を図１〜図４と共に説明する。
１はスツール状の座部、２は該座部１の裏面に固定された取付部材１ａに対して回転自在に軸支されたガスシリンダ２にして、該ガスシリンダ２を上昇させるためのハンドル２ａが前記取付部材１ａに回動自在に取付けられている。なお、ガスシリンダ２はラムの下降位置においてハンドル２ａを回動することでラムは上昇し、また、ラムの上昇位置においてハンドル２ａを回動することで着座している人の体重と座部１の重量とによってラムは下降する公知のものである。
【００１６】
３は床面に設置されるカップ状の台座にして、下面周囲の複数カ所に高さ調整用のネジ３ａが取付けられている。４は前記ガスシリンダ２の外周部をスリーブ４ａを介して固定したパイプ状の支柱、５は該支柱４の下部が嵌合固定された円筒状の第１の揺動リンクにして、下端には変形しない厚みの金属板からなる基板６が固定されている。なお、第１の揺動リンク５における相対向する位置には一対の軸孔５ａが形成されている。
【００１７】
７は前記台座３の上面裏面側に固定された基台にして、この基台７からは一対の垂下片７ａが垂下され、この垂下片７ａの下部には軸孔７ｂが形成されている。なお、この軸孔７ｂは前記した第１の揺動リンク５に形成された軸孔５ａとは直交する位置となっている。
【００１８】
８は前記第１の揺動リンク５の外周に位置し、９０度間隔で、かつ、相対向する一対のピン８ａが外側に突出し、他の一対のピン８ｂが内側に突出している。そして、前記ピン８ａは前記垂下片７ａの軸孔７ｂに対して回転自在に軸支され、また、ピン８ｂは前記第１の揺動リンク５の軸孔５ａに回転自在に軸支されている。
【００１９】
９は前記した基板６と基台７との間に張設された複数本（図示のものは６本）のスプリング等の弾性部材にして、両端は基板６と基台７とに取付けられたガイド部材６ａ，７cとに嵌まり込み移動しないように構成されている。なお、スプリング９が伸縮した時に発生する摩擦音を軽減するのにスプリング９と接触する基板６、基台７の部分を合成樹脂とすることが望ましい。また、複数本のスプリングに代えて大きな板バネを１個使用したり、自動車のサスペンション部分に使用されている発泡ゴムをリング状にしたものを１個使用してもよい。
【００２０】
１０は前記台座３の上部を覆うゴム等の弾性を有するカバーにして、中央の開口部１０ａに密着した状態で前記支柱４が挿通され、外周縁部１０ｂが台座３の上面に嵌め込み固定されている。従って、このカバー１０は支柱４が傾動した時に変形追従するようになっている。
【００２１】
次に、前記した構成に基づいて動作を図２〜図４と共に説明する。
先ず、施術者が施術の行い易い高さとなるようにレバー２ａを操作してガスシリンダ２を伸長する。この姿勢において施術者が図２において左右方向（図３において前後方向）に体重移動すると、支柱４に取付けられている第１の傾動リンク５は第２の揺動リンク８と共に基台７に対してピン８ａを支点として揺動することになる。この状態においてスプリングである弾性部材９は、支柱４が左方向に傾斜した場合には左側が圧縮され、右側は伸長し、また、右方向に傾動した場合には右側が圧縮され、左側が伸長して、支柱４の傾動が行われる。
【００２２】
また、図３において左右方向（図２において前後方向）に体重移動すると、第１の揺動リンク５は第２の揺動リンク８に対してピン８ｂを支点として揺動することになる。この状態において弾性部材９は、支柱４が左方向に傾斜した場合には左側が圧縮され、右側は伸長し、また、右方向に傾動した場合には右側が圧縮され、左側が伸長して、支柱４の揺動が行われる。
【００２３】
なお、前記した動作説明では前後、左右方向の揺動のみにについて説明したが、前後左右の中間方向に傾動した場合には、第１の揺動リンク５が基台７に対してピン８ａを支点として回動し、また、第２の揺動リンク８が第１の揺動リンク５に対してピン８ｂを支点として回動することで前後左右の中間方向に対しても支柱４は揺動することになる。
【００２４】
このように、支柱４に施術者の体重移動による傾斜力が加わるとピン８ｂを支点として揺動することになるが、支柱４が傾く力だけが弾性部材９に加わるので弾性部材９には施術者の体重が直接加わらないので、弾性部材９の反発力を低く抑えることができ、動きをスムーズにすることができる。
【実施例２】
【００２５】
前記した第１の実施例にあっては、基台７を台座３の上側に取付け、基板６を基台７の下側に配置したものを示したが、図５に示すように、台座３の形状を薄型に形成し、この薄型の台座３の上面に基台７を取付け、該基台７の上方に基板６を配置しても前記したと同じ動作および効果を得ることができる。なお、図５は図３と同じ方向の断面図であり、また、同一部材に対して同一符号で示している。
【図面の簡単な説明】
【００２６】
【図１】本発明に係る座部が揺動可能なスツールを示す斜視図である。
【図２】同上の一方向から見た断面図である。
【図３】同上と９０度異なる角度から見た断面図である。
【図４】図２のＡ−Ａ線端面図である。
【図５】他の実施例を示す図３と同じ面から見た断面図である。
【符号の説明】
【００２７】
１          座部
２          ガスシリンダ
３          台座
４          支柱
５          第１の揺動リンク
６          基板
７          基台
８          第２の揺動リンク
９          弾性部材（スプリング）
【図１】
2007268118.tif 000003
【図２】
2007268118.tif 000004
【図３】
2007268118.tif 000005
【図４】
2007268118.tif 000006
【図５】
2007268118.tif 000007